(57)【要約】【課題】本発明はナビゲーション装置に関するもので、使い勝手を良くすることを目的とするものである。【解決手段】本発明は、ＳＮＳサーバー４と交信を行う通信部６と、この通信部６に接続された制御部７と、この制御部７に接続されたデータ保持部９とを備えるナビゲーション装置１であって、制御部７は、ＳＮＳサーバー４から通信部６を介して取得したイベント情報をデータ保持部９に保持させ、データ保持部９に保持したイベント情報を用いて経路案内を行う構成とした。【選択図】図３
2013120116.tif 000002
【特許請求の範囲】
【請求項１】
ＳＮＳサーバーと交信を行う通信部と、この通信部に接続された制御部と、この制御部に接続されたデータ保持部とを備えるナビゲーション装置であって、
前記制御部は、前記ＳＮＳサーバーから前記通信部を介して取得したイベント情報を前記データ保持部に保持させ、前記データ保持部に保持したイベント情報を用いて経路案内を行うナビゲーション装置。
【請求項２】
前記制御部は、前記通信部を介して、前記ＳＮＳサーバーから前記イベント情報の更新情報を取得し、この更新情報を経路案内に反映させる請求項１に記載のナビゲーション装置。
【請求項３】
前記制御部は、前記ＳＮＳサーバーからユーザのプロファイル情報、およびイベント情報を取得し前記データ保持部に保持させ、前記データ保持部に保持したイベント情報からイベントに参加するユーザを特定するとともに、このイベント情報のユーザの投稿であるウォール情報から特定の文字を抽出することにより、このイベントに参加するユーザの迎え順を決定し、このユーザの迎え順、およびユーザのプロファイル情報を用いて経路案内を行う請求項１に記載のナビゲーション装置。
【請求項４】
前記制御部に入力部が接続され、この入力部へのユーザの操作により、前記制御部が決定したユーザの迎え順を変更する請求項１に記載のナビゲーション装置。
【請求項５】
前記制御部は、前記通信部を介してユーザの迎え順を前記ＳＮＳサーバーへ送信する請求項３に記載のナビゲーション装置。
【請求項６】
前記制御部は、コンテンツを再生する再生部が接続され、
前記制御部は、ユーザの乗車を検知すると、このユーザのプロファイル情報から好みを抽出し、前記再生部から前記ユーザの好みのコンテンツを再生させる請求項３に記載のナビゲーション装置。
【発明の詳細な説明】
【技術分野】
【０００１】
本発明は、特に車両に搭載されるナビゲーション装置に関する。
【背景技術】
【０００２】
近年、ＳＮＳ（ソーシャル  ネットワーキング  サービス）と相互通信を行い、様々な情報を利用する情報端末が知られている。その構成としては、以下のようになっている。
【０００３】
すなわち、従来の情報端末は、ＳＮＳサーバーと交信を行う通信部と、この通信部に接続された制御部と、この制御部に接続されたデータ保持部とを備え、制御部は、ＳＮＳサーバーから通信部を介して取得した各種情報をデータ保持部に保持し、このデータ保持部に保持された情報を制御部に接続された表示部に表示するものが知られている（例えば、下記特許文献１）。
【先行技術文献】
【特許文献】
【０００４】
【特許文献１】特開２０１１−１７０４７１号公報
【発明の概要】
【発明が解決しようとする課題】
【０００５】
前記従来例における課題は、ＳＮＳサーバーから得た情報をナビゲーション装置へユーザが入力するなどしなければ経路案内へと反映されず、使い勝手が良くないと言うことであった。
【０００６】
例えば、従来技術では、ＳＮＳサーバーのイベント情報からイベントに参加する複数のユーザを迎えに行く順番を確認することができる。しかし、経路探索をするには、個々のユーザの所在地を経由地として順番に入力しなければならず、非常に使い勝手の良くないものである。
【０００７】
さらに、経路探索結果に従いユーザを迎えに行く途中で、迎えに行くユーザの一人の予定が変更されたとしても、経路探索には反映されない。しかも、運転中にはナビゲーション装置を操作することができないため経由地の変更をすることができず、非常に使い勝手の悪いものとなっていた。
【０００８】
そこで、本発明は、使い勝手を良くすることを目的とするものである。
【課題を解決するための手段】
【０００９】
そしてこの目的を達成するために本発明は、ＳＮＳサーバーと交信を行う通信部と、この通信部に接続された制御部と、この制御部に接続されたデータ保持部とを備えるナビゲーション装置であって、制御部は、ＳＮＳサーバーから通信部を介して取得したイベント情報をデータ保持部に保持させ、データ保持部に保持したイベント情報を用いて経路案内を行う構成とし、これにより所期の目的を達成するものである。
【発明の効果】
【００１０】
以上のように本発明は、ＳＮＳサーバーと交信を行う通信部と、この通信部に接続された制御部と、この制御部に接続されたデータ保持部とを備えるナビゲーション装置であって、制御部は、ＳＮＳサーバーから通信部を介して取得したイベント情報をデータ保持部に保持させ、データ保持部に保持したイベント情報を用いて経路案内を行う構成としたの
で、使い勝手の良いものとなる。
【００１１】
例えば、ＳＮＳサーバーのイベント情報には、ユーザが投稿するウォール情報がある。そのウォール情報のユーザ間のやり取りから迎え順を判断し、ユーザのプロファイル情報にある住所と合わせて経路案内が可能となる。このようにすれば、非常に使い勝手の良いものとなる。
【００１２】
さらに、本発明においては、通信部を介して、前記ＳＮＳサーバーから前記イベント情報の更新情報を取得し、この更新情報を経路案内に反映させる構成としたので、ＳＮＳサーバーへ新たな情報の追加があったとしても、経路案内を対応させることが可能であり、非常に使い勝手の良いものとなる。
【図面の簡単な説明】
【００１３】
【図１】本発明の実施の形態１にかかるシステム構成の一例を示す図
【図２】本発明の実施の形態１にかかるシステム構成の一例を示す図
【図３】本発明の実施の形態１にかかるナビゲーション装置の一例を示すブロック図
【図４】本発明の実施の形態１にかかるナビゲーション装置の一例を示すブロック図
【図５】本発明の実施の形態１にかかるＳＮＳサーバーのイベント情報を説明する図
【図６】本発明の実施の形態１にかかるＳＮＳサーバーのプロファイル情報を説明する図
【図７】本発明の実施の形態１にかかるナビゲーション装置の制御フローチャート
【図８】本発明の実施の形態１にかかるスマートフォンの制御フローチャート
【図９】本発明の実施の形態１にかかるナビゲーション装置の制御フローチャート
【図１０】本発明の実施の形態１にかかるナビゲーション装置の制御フローチャート
【図１１】本発明の実施の形態１にかかるスマートフォンの制御フローチャート
【図１２】本発明の実施の形態１にかかるナビゲーション装置の制御フローチャート
【発明を実施するための形態】
【００１４】
以下、本発明の一実施の形態を、図面を用いて説明する。
（実施の形態１）
図１は、本実施の形態における、システム構成の一例を示している。
【００１５】
車に搭載されたナビゲーション装置１に接続された通信端末２は、インターネット網３にアクセスすることができる。このインターネット網には、ＳＮＳ（ソーシャル  ネットワーキング  サービス）を行うＳＮＳサーバー４が含まれている。
【００１６】
ＳＮＳとは、例えば、友人や知人の間のコミュニケーションを円滑にする場をインターネット上で提供するものである。ＳＮＳは、自分のプロフィールや写真を公開したり、会員間でメッセージを送ったり、友人に別の友人を紹介したり、日記帳、掲示板などで交流できるコミュニティ機能などで構成される。
【００１７】
図２は、本実施の形態における、システム構成の別の一例を示している。
【００１８】
この例では、通信端末２の一部であるインターネット網３にアクセスする機能がナビゲーション装置１に含まれる形態を示している。
【００１９】
図３は、図１に示すシステム構成におけるナビゲーション装置１と通信端末２のブロック図を示している。ナビゲーション装置１は、Ｂｌｕｅｔｏｏｔｈ（登録商標）などの近距離無線通信で通信端末２と交信するためのアンテナ５と、このアンテナ５に接続された通信部６と、この通信部６に接続された制御部７を有する。制御部７には、自車の位置を
取得するＧＰＳ８と、ＨＤＤや半導体メモリなどのデータを保持するデータ保持部９と、表示器１０、およびスピーカ１１が接続されている。なお、近距離無線通信に替えてＵＳＢ接続などの有線接続を用いることも可能である。
【００２０】
通信端末２は、近距離無線通信でナビゲーション装置１と交信するためのアンテナ１２と、このアンテナ１２に接続された送受信機１３を有する。また、インターネット網３と交信するアンテナ１４と、このアンテナ１４に接続された送受信機１５を有する。送受信機１３および送受信機１５は、情報取得部１６と接続されている。
【００２１】
図４は、図２に示すシステム構成におけるナビゲーション装置１のブロック図を示している。
【００２２】
図３のナビゲーション装置１との違いは、アンテナ５により直接インターネット網３と交信を行うところである。これ以外の構成は、図３と同じであるので省略する。なお、これ以降は、図３のナビゲーション装置１と通信端末２の構成であるとして説明する。
【００２３】
次に、図５と図６を用いて、ＳＮＳサーバー４において提供されるサービスの詳細について説明する。
【００２４】
まず、図５に示すように、友人や知人など決められたユーザがアクセス可能なグループを作成することができ、その中の掲示板などにイベント情報を書き込める場所を作成することができる。今回の場合は、第３回ゴルフコンペを開催する時の様子を示している。
【００２５】
その掲示板のイベント：第３回ゴルフコンペの部分には、基本情報としてイベント内容が記載されている。これは、ユーザの一人である友人Ｂが作成者で、日時、時間、グループ名、場所、写真、参加者などの情報が掲載されている。このイベント内容に関するコメントを書き込むことができるウォールと呼ばれる部分がある。
【００２６】
このウォールは、グループのメンバーが自由に書き込むことができる場所であり、さらに詳細なゴルフコンペの組分けや、配車の内容などが書き込まれている。例えば、配車に関して、図５に示すように、配車の順番が「友人Ｂ→友人Ｄ→友人Ｗ」「本人→友人Ｃ→友人Ｓ」というように記載されている。
【００２７】
次に、図６に示すグループに参加しているユーザの基本情報が掲載されたプロフィールの場所について説明する。
【００２８】
このプロフィールには、各ユーザの勤務先、出身校、生年月日、血液型、住所、最寄り駅など様々な情報を記載することができる。もちろん個々の情報に対して公開、非公開を選択することができるようになっている。また、先程のイベント内容のところで説明したウォールと同じように、このプロフィールに対してもウォールがある。こちらのウォールは、プロフィールのオーナー（図６では、友人Ｂさｎ）のみが記載可能な部分で、近況報告や趣味、嗜好情報などの状況なども書き込むことが可能となっている。
【００２９】
以上の構成において、イベントに出発する際のナビゲーション装置１および通信端末２の動作フローについて説明する。
【００３０】
まず、図７に示すように、ナビゲーション装置１は、車のイグニッションＯＮにより電源が入り、処理を開始し（ステップＳ１）、制御部７は、通信端末２と接続されているか確認する（ステップ２）。制御部７は、通信端末２との接続が確認されると、通信端末２からイベント、同乗者情報を取得し、図９のフローへ進む（ステップＳ３）。
【００３１】
次に、図８に示す通信端末２の動作フローについて説明する。
【００３２】
通信端末２は、情報取得部１６がナビゲーション装置１との接続確認を定期的に行っており、ナビゲーション装置１と接続されていることを確認すると、情報取得部１６は、ＳＮＳサーバー４の参加しているグループにおいて、予定があるかを確認する（ステップＳ５）。情報取得部１６は、予定があれば、そのイベント情報をナビゲーション装置１へ送信する（ステップＳ６）。また、情報取得部１６は、そのイベントに参加する参加者の情報（住所情報など）をナビゲーション装置１へ送信する（ステップＳ７）。
【００３３】
さらに、情報取得部１６は、ＳＮＳサーバー４にイベント、および参加者の情報更新があれば、ナビゲーション装置１へその情報を送信する（ステップＳ８）。
【００３４】
次に、図７にて説明したナビゲーション装置１の動作フローの続きを説明する。
【００３５】
図９に示すフローは、ＳＮＳサーバー４から取得したイベント情報とそのイベントの情報、およびプロフィール情報から配車に関する情報を使用して、参加者を迎えに行く経路案内を行う手順である。
【００３６】
このフローでは、まず、制御部７が取得したイベント情報からウォール内の名前書き込みを検索する（ステップＳ９）。名前の書き込みが見つかれば、制御部７は、パターン一致検索を行う（ステップＳ１０）。パターン一致検索とは、例えば「友人Ｂ→友人Ｄ→友人Ｗ」のように、「→」を挟んでユーザ名が記載されていると、迎えに行く順番とする記載パターンを用意しておく。そして、そのパターンに合う記載がウォール内にあれば、迎えに行く順番であると判断するものである。
【００３７】
次に、制御部７は、パターンに合う結果が見つかれば、表示器１０へ表示する（ステップＳ１１）。そして、制御部７は、自分自身が迎えに行くユーザがあるか否かを判断し（ステップＳ１２）、迎えに行くユーザがあれば、そのユーザ名からそのユーザのプロファイル情報を確認し、そのプロファイル情報から住所を取得しルート探索を行い（ステップＳ１３）、案内を開始する（ステップＳ１５）。
【００３８】
なお、ステップＳ９、ステップＳ１０、ステップＳ１２においてＮｏの場合、制御部７は、ウォール内で見つかった名前の一覧表示を行い、迎えに行くユーザおよび順番を入力するよう促す（ステップＳ１２）。その後、ステップＳ１３へ進む。
【００３９】
次に、図９のステップＳ１５以降に追加可能な内容について説明する。
【００４０】
図１０〜図１１は、ナビゲーション装置１において探索したルート探索結果を通信端末２を経由して、ＳＮＳサーバー４へ送信する手順について説明する。
【００４１】
まず、図１０のステップＳ１６では、制御部７は、渋滞情報を加味した各経由地の到着予想時刻を収集する。そして、制御部７は、通信部６を介して通信端末２へ送信する（ステップＳ１７）。通信端末２では、情報取得部１６がナビゲーション装置１からのデータを送受信機１３を介して取得すると（ステップＳ１８）、ＳＮＳサーバー４へのフィードバック情報に加工し（ステップＳ１９）、そのフィードバック情報を該当するイベントのウォールに書き込む（ステップＳ２０）。
【００４２】
この時、該当グループに参加しているユーザの通信端末や携帯電話には、ＳＮＳサーバー４からウォール情報に更新があったことが知らされる。
【００４３】
さらに、図１２に示すように、図９のステップＳ１５以降に追加可能な内容について説明する。
【００４４】
ここで追加可能な内容とは、ナビゲーション装置１の案内に従い、経由地の１つに到着した際の音楽再生である。
【００４５】
制御部７は、経由地に到着後、出発したことを確認後（ステップＳ２１）、経由地で乗せたユーザのプロファイル情報を確認し、そのユーザの好みのアーティストなどを抽出し、ＨＤＤや半導体メモリのデータ保持部９から見つかった曲をウェルカムミュージックとして再生する（ステップＳ２２）。
【００４６】
そして、制御部７は、目的地へ向け出発したことを確認すると（ステップＳ２３）、同乗者全員のプロファイル情報を確認し、重複する好みのアーティストや曲を再生する（ステップＳ２４）。なお、ここでは、例として音楽情報としているが、音楽に限らず、ニュース、ラジオ、ＴＶなどインターネットにて取得できるコンテンツを再生してもよい。
【００４７】
以上説明したように、本実施の形態は、ＳＮＳサーバー４と交信を行う通信部６と、この通信部６に接続された制御部７と、この制御部７に接続されたデータ保持部９とを備えるナビゲーション装置１であって、制御部７は、ＳＮＳサーバー４から通信部６を介して取得したイベント情報をデータ保持部９に保持させ、データ保持部９に保持したイベント情報を用いて経路案内を行う構成としたので、使い勝手の良いものとなる。
【００４８】
例えば、ＳＮＳサーバー４のイベント情報には、ユーザが投稿するウォール情報がある。そのウォール情報のユーザ間のやり取りから迎え順を判断し、ユーザのプロファイル情報にある住所と合わせて経路案内が可能となる。このようにすれば、非常に使い勝手の良いものとなる。
【００４９】
さらに、本発明においては、通信部６を介して、前記ＳＮＳサーバー４から前記イベント情報の更新情報を取得し、この更新情報を経路案内に反映させる構成としたので、ＳＮＳサーバーへ新たな情報の追加があったとしても、経路案内を対応させることが可能であり、非常に使い勝手の良いものとなる。
【００５０】
またさらに、制御部７は、ＳＮＳサーバー４からユーザのプロファイル情報、およびイベント情報を取得しデータ保持部９に保持させ、データ保持部９に保持したイベント情報からイベントに参加するユーザを特定するとともに、このイベント情報のユーザの投稿であるウォール情報から特定の文字を抽出することにより、このイベントに参加するユーザの迎え順を決定し、このユーザの迎え順、およびユーザのプロファイル情報を経路案内に使う構成としたので、ＳＮＳサーバーへユーザが急遽参加しないとの情報の追加があった場合でも、その参加しないユーザを除いた経路案内をすることが可能であり、非常に使い勝手の良いものとなるのである。
【産業上の利用可能性】
【００５１】
以上のように本発明においては、ＳＮＳサーバーと交信を行う通信部と、この通信部に接続された制御部と、この制御部に接続されたデータ保持部とを備えるナビゲーション装置であって、制御部は、ＳＮＳサーバーから通信部を介して取得したイベント情報をデータ保持部に保持させ、データ保持部に保持したイベント情報を用いて経路案内を行う構成としたので、使い勝手の良いものとなるのである。
【００５２】
したがって、車載用ナビゲーション装置としての活用が期待されるものとなる。
【符号の説明】
【００５３】
１  ナビゲーション装置
２  通信端末
３  インターネット網
４  ＳＮＳサーバー
５、１２、１４  アンテナ
６  通信部
７  制御部
８  ＧＰＳ
９  データ保持部
１０  表示器
１１  スピーカ
１３、１５  送受信機
１６  情報取得部
１７  スピーカ
【図１】
2013120116.tif 000003
【図２】
2013120116.tif 000004
【図３】
2013120116.tif 000005
【図４】
2013120116.tif 000006
【図５】
2013120116.tif 000007
【図６】
2013120116.tif 000008
【図７】
2013120116.tif 000009
【図８】
2013120116.tif 000010
【図９】
2013120116.tif 000011
【図１０】
2013120116.tif 000012
【図１１】
2013120116.tif 000013
【図１２】
2013120116.tif 000014